(57)【要約】【課題】風呂蓋として、本来の非入浴時の浴湯の保温機能に加え、入浴時にも半身浴等で浴槽に浸かっている時間を有効活用するのに利用できるものを提供する。【解決手段】複数枚に分割構成された風呂蓋１における一枚の蓋部材１１に、板状のブックスタンド２が起倒自在に枢着され、起立時のブックスタンド２を所定の後傾姿勢に保つための係止部２１と支持片３を有してなる。【選択図】図４
2010148816.tif 000002
【特許請求の範囲】
【請求項１】
複数枚に分割構成された風呂蓋における一枚の蓋部材に、板状のブックスタンドが起倒自在に枢着されると共に、起立時の該ブックスタンドを所定の後傾姿勢に保つ姿勢保持手段を有してなる風呂蓋。
【請求項２】
前記の姿勢保持手段が、前記蓋部材の後部側に起倒自在に枢着された支持片と、前記ブックスタンドの起立時の背面側に設けた係止部とからなり、該係止部に起立させた前記支持片の上端部を係合させることにより、該ブックスタンドを所定の後傾姿勢に保つように構成されてなる請求項１に記載の風呂蓋。
【請求項３】
前記蓋部材に倒伏時の前記ブックスタンドによって閉鎖される開口部が形成されると共に、該開口部に上方から嵌入してその開口縁部に上端の外向き突縁部で係止する収納ボックスを付属してなる請求項１又は２に記載の風呂蓋。
【請求項４】
前記収納ボックスが表裏反転して嵌合可能な蓋板を備え、該蓋板の表裏一面側に滑り止め凸部が形成され、この滑り止め凸部を上向きにした蓋板配置において、前記後傾姿勢のブックスタンドにもたせ掛けた本の下部が該滑り止め凸部で係止可能になると共に、該滑り止め凸部を下向きにした蓋板配置において前記ブックスタンドが水平状態に倒伏可能になるように構成されてなる請求項３に記載の風呂蓋。
【請求項５】
前記ブックスタンドと前記収納ボックスの蓋板とに、それぞれ指掛け穴が設けられてなる請求項３又は４に記載の風呂蓋。
【請求項６】
前記ブックスタンドを備えた蓋部材と、該ブックスタンドのない蓋部材との２枚に分割構成されてなる請求項１〜５の何れかに記載の風呂蓋。
【発明の詳細な説明】
【技術分野】
【０００１】
本発明は、家庭風呂等において非入浴時の浴湯の保温と共に入浴時にも利用する風呂蓋、特に半身浴等で浴槽に浸かっている時間を有効活用するのに適した風呂蓋に関する。
【背景技術】
【０００２】
近年、健康法の一つとして、入浴時に身体の芯まで温まるように、ぬるめの湯に半身浴で長く浸かることが流行している。そして、この浴槽に浸かっている時間を有効に過ごすために、浴室に本やラジオ、携帯テレビ、音楽プレーヤー、水分補給用の飲料水ボトル等を持ち込むことも多くなっている。
【０００３】
そこで、半身入浴用補助具として、両側の浴槽縁間に掛け渡すテーブルにブックスタンドを取り付け、該ブックスタンドに本を立て掛けて読書したり、テーブル上に種々の持ち込み物を載置できるようにしたものが登場しており（例えば特許文献１）、折畳み式のものも提案されている（特許文献２）。
【特許文献１】特表平１０−５０２００４
【特許文献２】特開２００６−１５０００６
【発明の開示】
【発明が解決しようとする課題】
【０００４】
しかしながら、前記従来の半身入浴用補助具は、折畳み式であってもサイズ的にかなり嵩張るから、入浴の都度に所要の持ち込み物と共に搬出入するには不便である一方、浴室内の隅部等に常時置くにしても、それだけ限られた浴室空間が狭まる上に身体を洗ったり浴槽を清掃する際に邪魔になるという難点があった。
【０００５】
本発明は、上述の事情に鑑みて、風呂蓋として、本来の非入浴時の浴湯の保温機能に加え、入浴時にも半身浴等で浴槽に浸かっている時間を有効活用するのに利用できるものを提供することを目的としている。
【課題を解決するための手段】
【０００６】
上記目的を達成するための手段を添付図面の参照符号を付して示せば、請求項１の発明は、複数枚に分割構成された風呂蓋１における一枚の蓋部材１１に、板状のブックスタンド２が起倒自在に枢着されると共に、起立時の該ブックスタンド２を所定の後傾姿勢に保つ姿勢保持手段（係止部２１，支持片３）を有してなるものとしている。
【０００７】
請求項２の発明は、前記請求項１の風呂蓋１において、前記の姿勢保持手段が、前記蓋部材１１の後部側に起倒自在に枢着された支持片３と、前記ブックスタンド２の起立時の背面側に設けた係止部（係止突起２１）とからなり、該係止部に起立させた前記支持片３の上端部を係合させることにより、該ブックスタンド２を所定の後傾姿勢に保つように構成されてなるものとしている。
【０００８】
請求項３の発明は、前記請求項１又は２の風呂蓋１において、前記蓋部材１１に倒伏時の前記ブックスタンド２によって閉鎖される開口部４が形成されると共に、該開口部４に上方から嵌入してその開口縁部（下段部４ｂ）に上端の外向き突縁部５１で係止する収納ボックス５を付属してなるものとしている。
【０００９】
請求項４の発明は、前記請求項３の風呂蓋１において、前記収納ボックス５が表裏反転して嵌合可能な蓋板５ｂを備え、該蓋板５ｂの表裏一面側に滑り止め凸部５２が形成され、この滑り止め凸部５２を上側にした蓋板配置において、前記後傾姿勢のブックスタンド２にもたせ掛けた本Ｂの下部が該滑り止め凸部５２で係止可能になると共に、該滑り止め凸部５２を下側にした蓋板配置において前記ブックスタンド２が水平状態に倒伏可能になるように構成されてなるものとしている。
【００１０】
請求項５の発明は、前記請求項３又は４の風呂蓋１において、前記ブックスタンド２と前記収納ボックス５の蓋板５ｂとに、それぞれ指掛け穴２２，５３が設けられてなるものとしている。
【００１１】
請求項６の発明は、前記請求項１〜５のいずれかの風呂蓋１において、前記ブックスタンド２を備えた蓋部材１１と、該ブックスタンド２のない蓋部材１２との２枚に分割構成されてなるものとしている。
【発明の効果】
【００１２】
次に、本発明の効果について、図面の参照符号を付して説明する。まず、請求項１発明によれば、入浴者が半身浴等で長く浴槽Ｔに浸かる場合に、分割構成された風呂蓋１Ａ，１Ｂのブックスタンド２付きの蓋部材１１のみを、入浴者の手前に位置するように左右の浴槽縁Ｔａ，Ｔａ間に掛け渡し、そのブックスタンド２を起立させて姿勢保持手段（係止部２１，支持片３）によって後傾姿勢として、該ブックスタンド２に本をもたせ掛けて読書できると共に、この蓋部材１１上にラジオ、携帯テレビ、ＣＤ・ＭＤＶプレーヤー、水分補給用の飲料水ボトル等の所要の持ち込み物を載置できる。しかして、この場合、風呂蓋１Ａ，１Ｂの蓋部材１１自体がブックスタンド２や種々の持ち込み物を置くテーブルになるから、従来の半身入浴用補助具のように入浴の都度に搬入出する必要がないと共に、不使用時にも該補助具の如く余分に場所を取ることがなく、且つブックスタンド２も倒伏姿勢にできるから、限られた浴室空間を元来の広さのままで利用できる。
【００１３】
請求項２の発明によれば、読書のために蓋部材１１のブックスタンド２を利用する際、起立させたブックスタンド２の係止部（係止突起２１）に引き起こした支持片３の上端部を係合させるだけの極めて簡単な操作により、該ブックスタンド２を所定の後傾姿勢に保持でき、また不使用時には該ブックスタンド２と共に支持片３も邪魔にならない倒伏姿勢にできる。
【００１４】
請求項３の発明によれば、ブックスタンド２付きの蓋部材１１の開口部３に付属の収納ボックス５を嵌入係止できるから、入浴者が個人的に必要とする種々の持ち込み物をまとめて該収納ボックス５に収容して持ち込み、これを蓋部材１１に保持させた状態で必要なものを取り出して使用し、使用後には該収納ボックス５に納めて持ち出すことができて非常に便利である。
【００１５】
請求項４の発明によれば、収納ボックス５の蓋板５ｂに設けた滑り止め凸部５２を利用して、前記後傾姿勢のブックスタンド２にもたせ掛けた本Ｂの下部を係止させることにより、本が手前へ滑り出して倒れるのを防止できて読書し易くなる。また、読書しない場合には、該蓋板５ｂを表裏反転させて滑り止め凸部５２を下側にすることにより、収納ボックス５を蓋部材１１に保持させたまま、ブックスタンド２をを水平状態に倒伏できるから、該蓋部材１１上を広く利用できると共に、使用しない持ち込み物を該収納ボックス５に納めておくことで湯水がかかるのを回避できる。
【００１６】
請求項５の発明によれば、ブックスタンド２を倒伏姿勢から引き起こす際に、指掛け穴２２に指を掛けて容易に引き起こし操作できると共に、前記収納ボックス５の蓋板５ｂを開く際にも、指掛け穴５３に指を掛けて容易に開放操作できる。
【００１７】
請求項６の発明によれば、２枚に分割構成された風呂蓋１Ａ，１Ｂの一方の蓋部材１１にブックスタンド２を備えるから、入浴者が湯に浸かる際、他方の蓋部材１２だけを壁際等に立て掛け、残る一方の蓋部材１１で浴槽Ｔ上の半分を覆う状態として、ブックスタンド２で読書したり他の持ち込み物を載せるテーブルとして利用できる。しかして、蓋部材が２枚だけであるから、本来の蓋とテーブルとの切換え操作が容易であると共に、テーブルとしての使用時に浴槽Ｔ上の半分を覆うことで保温効果が大きくなる。
【発明を実施するための最良の形態】
【００１８】
以下、本発明に係る風呂蓋の実施形態について、図面を参照して具体的に説明する。図１は第一実施形態の風呂蓋１Ａのテーブルとしての配置状態、図２はテーブルとした同風呂蓋１Ａの利用例、図３は同風呂蓋１Ａを本来の蓋とする配置状態、図４は同風呂蓋１Ａにおけるブックスタンドの組み立てと収納ボックスの取り付け操作、図５は同風呂蓋の収納ボックス取付状態、図６は同風呂蓋１Ａにおける収納ボックス取付下でブックスタンドを倒伏させた状態、図７は第二実施形態における風呂蓋１Ｂのテーブルとしての利用例、をそれぞれ示す。なお、以下においては、浴槽Ｔの長手方向を前後方向、浴槽Ｔの幅方向を左右方向として説明する。
【００１９】
第一実施形態の風呂蓋１Ａは、図１〜図４に示すように、共に合成樹脂成形物からなる同サイズの矩形をなす２枚の蓋部材１１，１２より構成される。そして、一方の蓋部材１２が単なる蓋としての厚板状であるのに対し、他方の蓋部材１１はテーブル兼用仕様として、上面１１ａ側にブックスタンド２及び飲料容器載置用の凹部６を備えると共に、該蓋部材１１には収納ボックス５が付属している。
【００２０】
テーブル兼用仕様の蓋部材１１は、左右方向中央部の前寄りの位置に矩形の開口部４が形成され、この開口部４の後縁側に横長矩形平板状のブックスタンド２がヒンジ７ａを介して起倒自在に枢着されると共に、左右方向中央部の後寄りの位置には、姿勢保持手段としての縦長矩形平板状の支持片３がヒンジ７ｂを介して起倒自在に枢着されている。また、該蓋部材１１の後部寄りの左右両側に、浅い円形の前記凹部６が設けてある。
【００２１】
開口部４の内周縁は上下２段の階段状をなしており、その上段部４ａに倒伏姿勢のブックスタンド２が周縁部を接して嵌合し、この嵌合したブックスタンド２によって該開口部４が封鎖され、且つ倒伏姿勢のブックスタンド２の上面２ａが蓋部材１１の上面１１ａと面一になるように設定されている。また、支持片３は、その厚み及び縦横長さに対応する矩形凹部８の前縁に枢着しており、倒伏姿勢において該矩形凹部８に嵌合した際、その上面２ａが蓋部材１１の上面１１ａと面一になるように設定されている。
【００２２】
ブックスタンド２は、中央部に円形の指掛け穴２２を備えると共に、この指掛け穴２２の外面側（起立時の背面側）の縁部で起立時の上側になる位置に、短い丸軸状の係止突起２１が凸設されている。そして、このブックスタンド２を使用する際には、図４に示すように、倒伏姿勢から指掛け穴２２に指を掛けて引き起こし、その係止突起２１に同じく引き起こした支持片３の上端部を係合させることにより、該ブックスタンド２を所定の後傾姿勢に保つようになっている。
【００２３】
収納ボックス５は、全体が合成樹脂成形物からなり、上方に開放した矩形トレイ状のボックス本体５ａと、平板状の蓋板５ｂとで構成されている。そして、ボックス本体５ａは、上端の全周にわたって外側へフランジ状に外側へ張出した外向き突縁部５１を備えると共に、この外向き突縁部５１の内周側全周にわたり、蓋板５ｂを嵌合させる段部５０を有している。蓋板５ｂは、中央に指掛け穴５３を有し、また表裏一面側の縁寄りの位置に側面視略三角形の滑り止め凸部５２が形成されており、ボックス本体５ａの段部５０に対して表裏反転して嵌合可能であると共に、この嵌合状態での上面がボックス本体５ａの外向き突縁部５１の上面と面一になるように設定されている。
【００２４】
この収納ボックス５は、図４の如くブックスタンド２を起立姿勢にした状態で、蓋部材１１の開口部４に上方から嵌合させることにより、図２及び図５に示すように、該開口部４の内周縁の下段部４ｂに外向き突縁部５１を係止して当該蓋部材１１に保持され、この保持状態で上面が開口部４の上段部４ｂと面一もしくは若干低位になるように設定されている。
【００２５】
そして、このように収納ボックス５を蓋部材１１に保持させた状態において、その蓋板５ｂを滑り止め凸部５２が上側で且つ後部側になるように配置すれば、図５の仮想線で示すようにブックスタンド２に本Ｂをもたせ掛けた際、その下端が前方へ滑り出すのを該滑り止め凸部５２によって阻止でき、もって本Ｂが前方へ滑って倒れるのを防止できる。一方、収納ボックス蓋部材１１の蓋板５ｂを滑り止め凸部５２が下向きになるように配置すれば、図６で示すように、該収納ボックス５を蓋部材１１に保持させたまま、ブックスタンド２を倒伏姿勢にすることができる。
【００２６】
上記構成の風呂蓋１Ａでは、浴槽Ｔを保温するために本来の蓋として用いる場合、図３に示すように、蓋部材１１のブックスタンド２及び支持片３を共に倒伏姿勢として、この蓋部材１１と他方の蓋部材１２とを並べて浴槽Ｔ上に載置すればよい。しかして、入浴者が半身浴等で長く浴槽Ｔに浸かる場合は、図１に示すように、ブックスタンド２付きの蓋部材１１のみを入浴者の手前に位置するように左右の浴槽縁Ｔａ，Ｔａ間に掛け渡せば、これを種々の持ち込み物を置くテーブルとして利用できる。なお、使用しない他方の蓋部材１２は浴室の璧Ｗ（図４参照）に立て掛けておけばよい。
【００２７】
このように、風呂蓋１Ａの蓋部材１１自体がブックスタンド２と共に種々の持ち込み物を置くテーブルになるから、従来の半身入浴用補助具のように入浴の都度に搬入出する必要がないと共に、不使用時にも該補助具の如く余分に場所を取ることがなく、且つブックスタンド２も倒伏姿勢にできるから、限られた浴室空間を元来の広さのままで利用できる。そして、読書の際には、起立させたブックスタンド２の係止突起２１に引き起こした支持片３の上端部を係合させるだけで、該ブックスタンド２を本Ｂをもたせ掛けるための所定の後傾姿勢に保持できる一方、不使用時には、該ブックスタンド２と共に支持片３も邪魔にならない倒伏姿勢にできるという利点がある。また、ブックスタンド２を倒伏姿勢から引き起こす際、指掛け穴２２に指を掛けて容易に引き起こし操作できる。
【００２８】
そして、入浴者が個々に使用する種々の持ち込み物については、予め収納ボックス５に収めて浴室に持ち込み、上記のテーブルとした蓋部材１１のブックスタンド２を引き起こし、開いた開口部４に該収納ボックス５を嵌合係止させた上で、この収納ボックス５から必要な物を取り出して蓋部材１１の上に置いて使用すればよく、また使用後には該収納ボックス５に納めて持ち出すことができるので非常に便利である。なお、収納ボックス５の蓋板５ｂを開く際には、指掛け穴５３に指を掛けて容易に開放操作できる。更に、読書しない場合には、該収納ボックス５の蓋板５ｂを表裏反転させて滑り止め凸部５２を下側にすることにより、収納ボックス５を蓋部材１１に保持させたままでブックスタンド２を水平状態に倒伏できるから、該蓋部材１１上を広く利用できると共に、使用しない持ち込み物を該収納ボックス５に納めておくことで湯水がかかるのを回避できる。
【００２９】
図２では、飲料ボトルＤを保冷シートＣで包んだ状態で蓋部材１１の凹部６に置いている。また、読書灯として、市販の折畳み式の携帯ＬＥＤランプＬを、そのＵ字形フックＬａを介してブックスタンド２の上縁部に係着している。他の持ち込み物としては、例えばラジオ、携帯テレビ、音楽プレーヤー、保冷材、タオル、スキンケアセット、髭剃りセット、歯磨きセット、シャンプー、石けん、芳香グッズ、子供用玩具、時計等が挙げられる。
【００３０】
なお、第一実施形態では読書時に本Ｂが倒れるのを防止するために収納ボックス５の蓋板５ｂに滑り止め凸部５２を設けているが、ブックスタンド２にもたせ掛けた本Ｂを安定に保つ手段としては種々の方式を採用できる。例えば、図７で示す第二実施形態の風呂蓋１Ｂのように、ブックスタンド２自体の下面側（起立時の正面側）に棚部２３を設け、この棚部２３上に本Ｂを置くようにしてもよい。ただし、この場合は、収納ボックス５を蓋部材１１に保持させた状態ではブックスタンド２を倒伏姿勢にできないことが難点になる。その他、ブックスタンド２に適当な挟み付け機構を設けたり、別部材としてのクリップ具等を用いるようにしてもよい。
【００３１】
また、本発明の風呂蓋は３枚以上に分割構成することも可能である。しかるに、実施形態のような２枚の分割構成では、入浴者が湯に浸かる際、ブックスタンド２のない蓋部材１２だけを壁際等に立て掛け、ブックスタンド２付きの蓋部材１１で浴槽Ｔ上の半分を覆う状態とすればよいから、本来の蓋とテーブルとの切換え操作が容易であると共に、テーブルとしての使用時に浴槽Ｔ上の半分を覆うことで保温効果が大きくなる。
【００３２】
更に、本発明の風呂蓋においては、ブックスタンド２の枢着手段として、ヒンジ７ａを用いる以外に、ブックスタンド２の両側下端部と蓋部材１１との間でピンや凹凸嵌合による枢支構造を採用してもよい。これは支持片３の枢着手段でも同様である。また、ブックスタンド２を後傾した起立姿勢に保つための姿勢保持手段についても、例示した係止突起２１と支持片３以外の種々の方式を採用できる。更に、本発明では、蓋部材１１の凹部６に水抜き孔を設けたり、ブックスタンド２及び収納ボックス５の蓋板５ａの指掛け穴２２，５３の位置をずらせたり、これら指掛け穴２２，５３に代わる開閉用の摘み部を設ける等、細部構成については実施形態以外に種々設計変更可能である。
【図面の簡単な説明】
【００３３】
【図１】本発明に係る第一実施形態の風呂蓋をテーブルとして使用する際の手順を示す斜視図である。
【図２】同風呂蓋をテーブルとしての利用状態の一例を示す斜視図である。
【図３】同風呂蓋を本来の保温用として用いる状態を示す斜視図である。
【図４】同風呂蓋をにおけるブックスタンドの組み立てと収納ボックスの取り付け操作を示す縦断側面図である。
【図５】同風呂蓋の収納ボックス取付状態を示す縦断側面図である。
【図６】同風呂蓋の収納ボックス取付下でブックスタンドを倒伏させた状態を示す縦断側面図である。
【図７】本発明に係る第二実施形態の風呂蓋のテーブルとしての利用状態を示す斜視図である。
【符号の説明】
【００３４】
１Ａ，１Ｂ  風呂蓋
１１，１２  蓋部材
２          ブックスタンド
２１        係止突起（係止部，姿勢保持手段）
２２        指掛け穴
３          支持片（姿勢保持手段）
４          開口部
４ｂ        下段部（開口縁部）
５          収納ボックス
５ｂ        蓋板
５１        外向き突縁部
５２        滑り止め凸部
５３        指掛け穴
【図１】
2010148816.tif 000003
【図２】
2010148816.tif 000004
【図３】
2010148816.tif 000005
【図４】
2010148816.tif 000006
【図５】
2010148816.tif 000007
【図６】
2010148816.tif 000008
【図７】
2010148816.tif 000009